(57)【要約】【課題】干渉に強く、通信品質の良い無線通信装置を提供することを目的とする。【解決手段】コードレス電話機の親機と子機は、複数の周波数帯域の中から一の周波数帯域のチャネルを選択的に切り替えて時分割多重により通信を行う。この通信は、複数の周波数帯域における全チャネルの受信電界強度を測定し、周波数帯域ごとに区分して受信電界強度データとして記憶しておき、通信環境が悪化して通信しているチャネル・スロットから他のチャネル・スロットへ切り替える必要があると判断されると、受信電界強度データに基づいて切り替え先のチャネルを選択し、選択されたチャネル・スロットに基づいて切り替えを行うことで、干渉に強く品質のよい環境を維持することができる。【選択図】図５
2009284376.tif 000002
【特許請求の範囲】
【請求項１】
複数の周波数帯域の中から一の周波数帯域のチャネルを選択的に切り替えて時分割多重により他の無線通信装置と無線通信を行う無線送受信部と、
前記複数の周波数帯域のそれぞれにおける各チャネルの受信電界強度を測定し、周波数帯域ごとに区分して受信電界強度データとして記憶する受信電界強度データ処理部と、
使用中チャネルから他のチャネルに切り替える必要があるか否かを判定する切替判定部と、
前記切替判定部が切り替えの必要有りと判定した場合に、前記受信電界強度データに基づいて現在使用中の周波数帯域以外のチャネルを優先して選択する選択部と、
前記選択部によって選択された周波数帯域のチャネルへの切り替えを前記無線送受信部に指示する切替部とを備えたことを特徴とする無線通信装置。
【請求項２】
前記切替判定部は、前記無線通信におけるエラー発生頻度または連続フレームエラー回数に基づいて、他のチャネルに切り替える必要があるか否かを判定することを特徴とする請求項１記載の無線通信装置。
【請求項３】
前記切替判定部は、前記無線通信における使用中チャネルの電界強度に基づいて、他のチャネルに切り替える必要があるか否かを判定することを特徴とする請求項１記載の無線通信装置。
【請求項４】
前記チャネル選択部は、前記受信電界強度データの中から最小値のチャネルを選択することを特徴とする請求項１記載の無線通信装置。
【請求項５】
前記受信電界強度データ処理部は、前記受信電界強度データに基づいて良好度合いの高いチャネルを周波数帯域ごとに良好チャネル優先情報として集計し、
前記チャネル選択部は、前記良好チャネル優先情報に基づいて良好度合いの高いチャネルの数が多い周波数帯域を優先して切り替え先のチャネルを選択することを特徴とする請求項１に記載の無線通信装置。
【請求項６】
前記良好度合いは、測定された受信電界強度が所定の閾値よりも低い場合に、高いと設定されていることを特徴とする請求項５記載の無線通信装置。
【請求項７】
前記良好度合いは、無線通信におけるエラー発生頻度が低い場合に、高いと設定されていることを特徴とする請求項５記載の無線通信装置。
【請求項８】
前記チャネル選択部は、前記複数の周波数帯域に対して予め設定された優先順位に基づいて、優先順位の高い周波数帯域を優先して切り替え先のチャネルを選択することを特徴とする請求項１から７の何れかの項に記載の無線通信装置。
【請求項９】
前記優先順位は、前記複数の周波数帯域の通話可能距離が長い順に設定されていることを特徴とする請求項８記載の無線通信装置。
【請求項１０】
前記優先順位は、前記複数の周波数帯域の波長及び送信電力を加味して設定されていることを特徴とする請求項９記載の無線通信装置。
【請求項１１】
前記優先順位は、優先モード別に予め設定された複数の優先順位を有し、
前記チャネル選択部は、設定された優先モードに応じた優先順位に基づいて、優先順位の高い周波数帯域を優先して切り替え先のチャネルを選択することを特徴とする請求項８記載の無線通信装置。
【発明の詳細な説明】
【技術分野】
【０００１】
本発明は、ＴＤＭＡ（Ｔｉｍｅ  Ｄｉｖｉｓｉｏｎ  Ｍｕｌｔｉｐｌｅ  Ａｃｃｅｓｓ）方式で通信する無線通信装置に関する。
【背景技術】
【０００２】
無線通信は、送信電波の電界強度や、装置間の距離、ノイズとなる干渉電波の存在が、通信品質に大きく影響する。
【０００３】
干渉電波についての対策の技術として、例えば、特許文献１に記載された干渉回避方法では、干渉を検出すると、通信するチャネルを切り替えるようにしている。具体的には、まず、干渉を検出した無線端末からの通知により、親局が全ての無線端末に対してチャネル切り替えの実行と切り替え開始タイミングとを通知する。次に、この通知を受信した全ての無線端末が、親機からの乱数基数を元にして乱数を生成してチャネル切り替え先チャネルを決定することで、通信を継続できるようにしている。
【特許文献１】特開２０００−２６１４４９号公報
【発明の開示】
【発明が解決しようとする課題】
【０００４】
しかし、特許文献１に記載された干渉回避方法では、干渉回避のためにチャネルを切り替えているだけである。例えば、無線通信装置が使用している周波数帯域が２．４ＧＨｚ帯である場合では、同じ２．４ＧＨｚ帯にノイズを幅広く発生する電子レンジが近くで作動していると、２．４ＧＨｚ帯の全てのチャネルに干渉電波が発生してしまうので、チャネルを切り替えても通信できない事態となるおそれがある。
【０００５】
そこで本発明は、干渉に強く、通信品質の良い無線通信装置を提供することを目的とする。
【課題を解決するための手段】
【０００６】
本発明の無線通信装置は、複数の周波数帯域の中から一の周波数帯域のチャネルを選択的に切り替えて時分割多重により他の無線通信装置と無線通信を行う無線送受信部と、前記複数の周波数帯域のそれぞれにおける各チャネルの受信電界強度を測定し、周波数帯域ごとに区分して受信電界強度データとして記憶する受信電界強度データ処理部と、使用中チャネルから他のチャネルに切り替える必要があるか否かを判定する切替判定部と、前記切替判定部が切り替えの必要有りと判定した場合に、前記受信電界強度データに基づいて現在使用中の周波数帯域以外のチャネルを優先して選択する選択部と、前記選択部によって選択された周波数帯域のチャネルへの切り替えを前記無線送受信部に指示する切替部とを備えたことを特徴とする。
【発明の効果】
【０００７】
本発明は、受信電界強度データに基づいて現在使用中の周波数帯域以外のチャネルへ優先的に切り替えることで良好な通信を維持することができるので、干渉に強く、品質の良い無線通信装置とすることができる。
【発明を実施するための最良の形態】
【０００８】
本発明の無線通信装置は、時分割多重により他の無線通信装置と無線通信を行い、状況に応じてチャネルを選択的に切り替えながら通信を行うものである。
【０００９】
本発明の第１の発明は、それぞれ離れた複数の周波数帯域の中から一の周波数帯域のチャネルを選択的に切り替えて時分割多重により他の無線通信装置と無線通信を行う無線送受信部と、これら複数の周波数帯域のそれぞれにおける各チャネルの受信電界強度を測定し、周波数帯域ごとに区分して受信電界強度データとして記憶する受信電界強度データ処理部と、使用中チャネルから他のチャネルに切り替える必要があるか否かを判定する切替判定部と、切替判定部が切り替えの必要有りと判定した場合に、受信電界強度データに基づいて現在使用中の周波数帯域以外のチャネルを優先して選択する選択部と、選択部によって選択された周波数帯域のチャネルへの切り替えを無線送受信部に指示する切替部とを備えたものである。
【００１０】
以上の構成により、まず受信電界強度データ処理部が複数の周波数帯域における全チャネルの受信電界強度を測定し、周波数帯域ごとに区分して受信電界強度データとして記憶しておく。次に、切替判定部が他のチャネルへの切り替えが必要であると判定した場合、チャネル選択部は現在使用中の周波数帯域以外の他の周波数帯域の中から優先的に受信電界強度データに基づいて切り替え先の周波数帯域のチャネルを選択する。そして、切替部が無線送受信部に、選択された周波数帯域のチャネルへ切り替えを指示する。そうすることで、切り替え後は優先的に他の周波数帯域の中からチャネルが選択されるので、ノイズとなる干渉電波が同じ周波数帯域のほぼ全チャネルに対して干渉している場合などでも、異なる周波数帯域へ切り替わり良好な通信を維持することができる。
【００１１】
本発明の第２の発明は、切替判定部は、無線通信におけるエラー発生頻度または連続フレームエラー回数に基づいて、他のチャネルに切り替える必要があるか否かを判定することを特徴したものである。第２の発明により、エラー発生頻度または連続フレームエラー回数に基づいて他のチャネルに切り替える必要があるか否かの判定をすることで、切り替えが必要か不要かを的確に判断することができる。
【００１２】
本発明の第３の発明は、切替判定部は、無線通信における使用中チャネルの電界強度に基づいて、他のチャネルに切り替える必要があるか否かを判定することを特徴したものである。第３の発明により、無線通信における使用中チャネルの電界強度に基づいて、他のチャネルに切り替える必要があるか否かを判定することで、干渉電波の強度に応じて的確に判断することができる。
【００１３】
本発明の第４の発明は、チャネル選択部は、受信電界強度データの中から最小値のチャネルを選択することを特徴としたものである。第４の発明により、受信電界強度データの中から最小値のチャネルを選択することで、切り替え先のチャネルとして最も良好なチャネルを選択することができる。
【００１４】
本発明の第５の発明は、受信電界強度データ処理部は、受信電界強度データに基づいて良好度合いの高いチャネルを周波数帯域ごとに良好チャネル優先情報として集計し、チャネル選択部は、良好チャネル優先情報に基づいて良好度合いの高いチャネルの数が多い周波数帯域を優先して切り替え先のチャネルを選択することを特徴としたものである。第５の発明においては、切り替え先が良好なチャネルであっても、同じ周波数帯域内の他のチャネルの状態が全体的に良好でなければ、干渉電波によってやがて通信に支障が出る可能性があるので、良好度合いの高いチャネルの数が多い周波数帯域を優先して切り替え先のチャネルを選択することで、安定した通信を継続することができる周波数帯域を選択することができる。
【００１５】
本発明の第６の発明は、良好度合いは、測定された受信電界強度が所定の閾値よりも低い場合に、高いと設定されていることを特徴としたものである。第６の発明により、測定された受信電界強度が所定の閾値よりも低い場合に、良好度合いが高いと設定されていることにより、干渉電波の影響が少ない周波数帯域を選択することができる。
【００１６】
本発明の第７の発明は、良好度合いは、無線通信におけるエラー発生頻度が低い場合に、高いと設定されていることを特徴としたものである。第７の発明により、無線通信におけるエラー発生頻度が低い場合に、良好度合いが高いと設定されていることにより、干渉電波によるエラーの発生だけでなく、他の要因により発生するエラーの発生による影響も考慮することができる。
【００１７】
本発明の第８の発明は、チャネル選択部は複数の周波数帯域に対して予め設定された優先順位に基づいて優先順位の高い周波数帯域を優先して切り替え先のチャネルを選択することを特徴としたものである。第８の発明により、複数の周波数帯域のそれぞれに設定された優先順位に基づいて優先順位の高い周波数帯域を優先して切り替え先のチャネルを選択することで、チャネルの切り替えが必要な場合に、所望とする周波数帯域へ優先的に切り替えることができる。
【００１８】
本発明の第９の発明は、優先順位は複数の周波数帯域の通話可能距離が長い順に設定されているものである。第９の発明により、電波の到達距離が長い周波数帯域を優先的に切り替え先のチャネルとして割り当てることができる。
【００１９】
本発明の第１０の発明は、優先順位は複数の周波数帯域の波長及び送信電力を加味して設定されているものである。第１０の発明により、波長と送信電力を加味することによって、的確に通話可能距離が長い順に優先順位を設定することができる。
【００２０】
本発明の第１１の発明は、優先順位が、優先モード別に予め設定された複数の優先順位を有し、チャネル選択部は、設定された優先モードに応じた優先順位に基づいて、優先順位の高い周波数帯域を優先して切り替え先のチャネルを選択することを特徴としたものである。第１１の発明により、通話可能距離優先モードまたは干渉回避優先モード等の優先モードに応じて設定された優先順位に従って切り替え先のチャネルを選択するので、より最適な切り替えを行うことができる。
【００２１】
（実施の形態）
本発明の実施の形態に係る無線通信装置について、コードレス電話機を例に、図面に基づいて説明する。図１は、本発明の実施の形態に係るコードレス電話機の構成を示す図である。図２は、図１に示すコードレス電話機が使用する周波数帯域とチャネルとを示す図であり、（Ａ）は周波数帯域を示す図、（Ｂ）は周波数帯域とチャネル番号との対応を示す図である。図１に示すコードレス電話機１０は、電話回線Ｌと接続された一台の親機２０と、親機２０とＴＤＭＡ／ＴＤＤ方式で通信する３台の子機３０（Ａ〜Ｃ）とを備えている。ここで用いられる方式は、上り／下りでそれぞれ６スロットずつを使用し、一つのフレームが１２個のスロットで構成される（図５参照）。またこの親機２０と子機３０とは、３つの異なる周波数帯域を使用して通信を行っている。具体的には、図２（Ａ）に示すように１．９ＧＨｚ帯（帯域１）と２．４ＧＨｚ帯（帯域２）と５．８ＧＨｚ帯（帯域３）の３つ周波数帯域で、同図（Ｂ）に示すようにそれぞれ５つのキャリア周波数（以下、チャネルと称す）を割り当て、その中から一つを使って通信する。
【００２２】
次に、親機２０と子機３０との構成を図３及び図４に基づいて詳細に説明する。図３は、図１に示すコードレス電話機の親機の構成を示すブロック図である。図４は、図１に示すコードレス電話機の子機の構成を示すブロック図である。
【００２３】
図３において、親機２０は、帯域１〜３用アンテナ１１ａ〜１１ｃと、無線送受信部１２と、通信制御部１３と、音声処理部２１とを備えている。
【００２４】
帯域１〜３用アンテナ１１ａ〜１１ｃは、それぞれの周波数帯域の電波を送受信するのに適した特性を備えたアンテナである。無線送受信部１２は、子機３０と無線通信する際に、帯域１〜３の中から一の周波数帯域を選択的に切り替えて子機３０と無線通信を行うものである。
【００２５】
通信制御部１３は、子機３０との無線通信を行うに際し、使用するチャネルやスロットを無線送受信部１２へ指示する制御部である。通信制御部１３は、あるチャネルから他のチャネルに切り替える場合、同時にスロットも切り替える。以下、周波数軸上でのチャネルと、時間軸上でのスロットから成る２次元的なマトリックスをチャネル・スロットと呼ぶ。チャネル・スロットごとに受信電界強度が測定され、図８に示すように記録される。通信制御部１３は後段で説明する判断処理によって最適な周波数帯域を選択し、その周波数帯域の中から選定されたチャネル及びスロットへの切り替えを無線送受信部１２に指示する。
【００２６】
この通信制御部１３は、送信制御データパケット処理部１３ａと、送信音声データパケット処理部１３ｂと、送信パケット作成部１３ｃと、受信パケット解析部１３ｄと、受信制御データパケット処理部１３ｅと、受信音声データパケット処理部１３ｆとを備えている。また、通信制御部１３は、受信電界強度データ処理部１３ｇと、エラー計数処理部１３ｈと、切替判定部１３ｉと、チャネル・スロット選択部１３ｊと、チャネル・スロット切替部１３ｋとを備えている。
【００２７】
送信制御データパケット処理部１３ａは通信制御用のデータに対して生成した誤り検出符号であるＣＲＣを付加する。送信音声データパケット処理部１３ｂは、音声データに対して生成したＣＲＣを付加する。
【００２８】
送信パケット作成部１３ｃは、送信制御データパケット処理部１３ａで生成した通信制御用データと、送信音声データパケット処理部１３ｂで生成した音声データを結合して無線送受信部１２により送信するためのパケットを生成する。
【００２９】
受信パケット解析部１３ｄは、無線送受信部１２を介して受信したパケットを解析すると共に、受信したパケットを制御用データと音声データに分離する。
【００３０】
受信制御データパケット処理部１３ｅは、通信制御用のデータを処理し、また通信制御用のデータに対して付加されたＣＲＣにより受信エラーを検出する。受信音声データパケット処理部１３ｆは、音声データを処理し、また音声データに対して付加されたＣＲＣにより受信エラーを検出する。
【００３１】
受信電界強度データ処理部１３ｇは、各周波数帯域の中のそれぞれのチャネルの電界強度をスロットごとに測定して受信電界強度データとしてメモリ１３ｎへ記憶する。また受信電界強度データ処理部１３ｇは、記憶されている電界強度の度合いに基づいて良好なスロットか否かを判定し、また良好なスロットの数を集計してスロットの優先度を設定する機能を備えている。エラー計数処理部１３ｈは、受信エラーが発生したときに、エラーカウンタをカウントアップする。
【００３２】
切替判定部１３ｉは、現在通信している同じチャネルの他のスロットまたは他のチャネルの何れかのスロットへ切り替える必要があるか否かを判定する。切替判定部１３ｉは、受信エラーが頻発する等により切り替えが必要であると判定したときには、内容に応じて干渉検知したことを示す干渉検知フラグを設定したり、受信状態が不良であることを示す不良検知フラグを設定したりする。干渉検知フラグや不良検知フラグは切替判定部１３ｉ内のメモリ１３ｍに書き込まれる。また、切替判定部１３ｉは、複数のフレームに連続してエラーが発生した場合にカウントアップされる連続フレームエラーカウンタ１３ｐを備えている。この連続フレームエラーカウンタ１３ｐは、スロットごとに管理されている。
【００３３】
チャネル・スロット選択部１３ｊは、切替判定部１３ｉにより切り替える必要があると判定された場合に、受信電界強度データ処理部１３ｇにより測定された受信電界強度データに基づいて切り替え先のチャネルのスロットを「チャネル・スロット」として選択する。
【００３４】
チャネル・スロット切替部１３ｋは、選択されたチャネル・スロットに基づいて無線送受信部１２に切り替えを指示する。
【００３５】
音声処理部２１は、通信制御部１３からの音声データをスピーチデコーダ２１ａにより復号化して回線出力部２１ｂを介して電話回線Ｌに出力したり、電話回線Ｌから回線入力部２１ｃを介して入力した信号をスピーチエンコーダ２１ｄにより音声データに符号化して通信制御部１３へ出力したりする。
【００３６】
なお、本実施の形態では、親機２０が電話回線Ｌに接続されたコードレス電話機１０であるが、親機２０をインターネットに接続されるＩＰ電話機とすることも可能である。
【００３７】
次に子機３０について説明する。但し、図３に示す親機２０においては音声入出力部が電話回線Ｌであるのに対し、子機３０における音声入出力部はスピーカＳＰ及びマイクＭＩＣである。図３に示す親機２０と子機３０はこの音声入出力部の点を除いて、ＴＤＭＡ通信を行うための構成はほぼ同じであるから、同じ機能を有するものは同符号を付して親機２０側での説明のみ行い、以下の子機３０側の説明では省略する。なお親機２０と子機３０とがＴＤＭＡ通信を行う場合はマスタ／スレーブの関係となり、親機２０はマスタ、子機３０はスレーブとなる。
【００３８】
図４において、子機３０は、帯域１〜３用アンテナ１１ａ〜１１ｃと、無線送受信部１２と、通信制御部１３と、音声処理部３１とを備えている。音声処理部３１は、通信制御部１３からの音声データをスピーチデコーダ３１ａにより復号化してスピーカＳＰに出力したり、マイクＭＩＣを介して入力した信号をスピーチエンコーダ３１ｂにより音声データに符号化して通信制御部１３へ出力する機能を備えている。
【００３９】
以上のように構成された本発明の実施の形態に係るコードレス電話機の動作を図５から図１９に基づいて説明する。
【００４０】
図５は、フレームの構成を示す図である。図６は、各スロットの処理手順を示すフローチャートである。図５に示すフレーム構成例のように親機２０と子機３０（Ａ〜Ｃ）が通信を行うフレーム構成は、一つのフレームが１２個のスロットで構成されており、前半６スロットが親機受信スロット（子機送信スロットでもある）、後半６スロットが親機送信スロット（子機受信スロットでもある）として使用される。ある一台の子機３０と親機２０は１フレームの中で１回ずつパケットを交換して通信を行っている。
【００４１】
親機２０と子機３０は、これらのスロットの中の各受信スロットごとに図６に示す制御が行われる。以下、親機２０における電解強度測定のための制御について説明する。
【００４２】
図６において、まずエラー計数処理部１３ｈは、Ｓ１０１０にて一定時間が経過したか否かを判断する。この一定時間は、バックグランドスキャンが全周波数帯域の全チャネルの全スロットについて一巡する期間より長い時間周期である。Ｓ１０１０にて一定時間が経過したと判定される場合には、Ｓ１０２０にてエラー計数処理部１３ｈは該当するチャネルのスロットのエラーカウンタをカウントダウンする。なお、この一定期間経過したことを契機にエラー計数処理部１３ｈがエラーカウンタをカウントダウンする処理についての詳細は後述する。
【００４３】
次に、通信制御部１３はＳ１０３０にて、その時のスロットがデータ通信のための受信スロットか否かを判定する。つまり親機２０であれば、図５に示すスロット０〜５であるか否かを判定する。Ｓ１０３０での判定が、データ通信のための受信スロットではないと判定された場合には、Ｓ１０４０へ移行する。
【００４４】
Ｓ１０４０では受信電界強度データ処理部１３ｇにより、その時のスロットが電界強度測定用受信スロットであるか否かが判定される。電界強度測定用受信スロットでないと判定された場合には処理を終了する。Ｓ１０４０にて電界強度測定用受信スロットであると判定された場合には、Ｓ１０５０にて受信電界強度データ処理部１３ｇにより良好チャネル情報記憶手順が実行される。
【００４５】
ここで、良好チャネル情報記憶手順について、図７から図１０に基づいて説明する。図７は、バックグランドスキャンにより良好チャネル情報記憶手順を示すフローチャート、図８は、チャネル・スロット受信電界強度マップを示す図、図９は、良好チャネル・スロットマップを示す図、図１０は、エラーチャネル・スロットマップを示す図である。
【００４６】
良好チャネル情報記憶手順は、図７に示すようにまずＳ２１０にて所定のスロットの受信電界強度を測定する。この測定は受信電界強度データ処理部１３ｇが無線送受信部１２へ指示することにより行われる。測定した結果は図８に示すチャネル・スロット受信電界強度マップとして受信電界強度データ処理部１３ｇのメモリ１３に記憶される。
【００４７】
このチャネル・スロット受信電界強度マップは、測定された電界強度を受信電界強度データとして、周波数帯域ごとに区分されたチャネル番号に対応させてスロットごとに記憶されたテーブルである。Ｓ２１０で測定された電界強度は、このチャネル・スロット受信電界強度マップの該当する箇所に記憶される。
【００４８】
図８の例では、それぞれの周波数帯域ごとの全てのチャネル・スロットのバックグランドスキャンが行われた後を示しており、チャネル・スロット受信電界強度マップのそれぞれの箇所に電界強度が記憶されている。
【００４９】
そして、受信電界強度データ処理部１３ｇは、Ｓ２２０にて測定された電界強度が所定の値よりも低いか否かを判定する。所定の値よりも低いと判定された場合には、干渉電波が無いあるいは少ないと判断できるので、Ｓ２３０にて良好度合いが高い良好チャネル・スロットとして良好を示すマーキングを行う。
【００５０】
Ｓ２３０における良好を示すマーキングは、図９に示す良好チャネル・スロットマップとして記憶される。つまり、該当する周波数帯域のチャネル番号の各スロットのそれぞれの電界強度が、所定の閾値よりも低ければ良好、所定の閾値以上であれば不良として記憶される。これら閾値は適宜決定することができる。
【００５１】
図７のＳ２２０にて測定された電界強度が所定の値以上であると判定された場合には、測定されたチャネルのスロットにおいて干渉電波が検知されたということなので、Ｓ２４０にて良好度合いが低い不良チャネル・スロットとして不良のマーキングを行う。
【００５２】
受信電界強度データ処理部１３ｇは、図７のＳ２５０にてエラーカウンタのアップを行う。このエラーカウンタのアップは、Ｓ２２０にて測定された電界強度が所定の値以上との判定を受けてカウントアップされるもので、図１０に示すエラーチャネル・スロットマップとして受信電界強度データ処理部１３ｇ内のメモリ１３ｎに記憶される。つまり、無線通信で発生するＣＲＣエラー以外に、干渉電波を測定する電界強度測定において干渉電波が測定された場合にはエラーとしてカウントアップする。このようにして良好チャネル・スロットマップまたはエラーチャネル・スロットマップの更新を行う（Ｓ２６０）。
【００５３】
良好チャネル情報記憶手順が終了すると、図６に示すＳ１０６０にて良好周波数帯域情報記憶手順が実行される。ここでＳ１０６０の良好周波数帯域情報記憶手順について、図１１に基づいて説明する。図１１は、良好周波数帯域情報記憶手順を示すフローチャートである。
【００５４】
図１１に示す良好周波数帯域情報記憶手順は、まず、受信電界強度データ処理部１３ｇが、Ｓ３１０にて周波数帯域ごとの良好チャネル・スロットの総数によりこの周波数帯域の良好度合いを判定するとの設定がされている否かを判定し、良好チャネル・スロットの総数から判定するとの設定であればＳ３２０へ移行する。
【００５５】
Ｓ３２０では、受信電界強度データ処理部１３ｇが良好チャネル・スロットマップからデータを取得する。さらにＳ３３０にて、良好チャネル・スロットマップのそれぞれのデータに基づいて周波数帯域ごとに良好を示すマーキングの数を集計し、その集計結果により良好チャネル・スロット優先情報を算出する。
【００５６】
Ｓ３４０にて、受信電界強度データ処理部１３ｇは、集計された良好チャネル・スロット優先情報に基づいて総数が多い順番に周波数帯域の優先度を高くするように設定する。この優先情報が高い帯域が優先的に使用される。図９の例では、帯域１では良好チャネル・スロット優先情報は２０、帯域２では３０、帯域３では２５となっており、帯域２が最も総数が多いので優先度が高く、帯域１が最も総数が少ないので優先度が低いと設定されている。
【００５７】
また、図８及び図９の例では、チャネル・スロット受信電界強度マップや良好チャネル・スロットマップは、帯域１〜３の中の各チャネルを周波数軸上の最小単位として、さらにＴＤＭＡの各スロットを時間軸上の最小単位として電界強度を測定し、２次元上で良好／不良のマーキングを行っている。このようにスロットごとでも区別してマーキングすることにより、周囲からの干渉電波の状況をより細かく把握でき、正確に切り替え先のチャネルの状態を判断することが可能となる。
【００５８】
一方、Ｓ３１０にて、良好チャネル・スロットの総数から判定しないとの設定であればＳ３５０へ移行する。
【００５９】
Ｓ３５０にて、受信電界強度データ処理部１３ｇはエラーチャネル・スロットマップからデータを取得する。Ｓ３６０にて、エラーチャネル・スロットマップのそれぞれのエラーカウンタに基づいて集計を周波数帯域ごとに行って、エラーカウンタによる良好チャネル・スロット優先情報を算出する。図１０の例では、帯域１では１４、帯域２では３、帯域３では９となっている。
【００６０】
Ｓ３７０にて、受信電界強度データ処理部１３ｇは、集計された良好チャネル・スロット優先情報に基づいて総数が少ない順番に周波数帯域の優先度を高くするように設定する。すなわち図１０の例では、帯域１４が最も総数が多いので優先度が低く、帯域２が最も総数が少ないので優先度が高いと設定されている。
【００６１】
このようにして良好周波数帯域情報記憶手順での周波数帯域ごとの優先度が設定されると、図６に示すＳ１０７０にて受信電界強度データ処理部１３ｇは、干渉電波が検知されたか否かを判定する。この判定は、図７のＳ２１０にて測定された受信電界強度が所定値より大きい場合に、干渉電波を検知したとするものである。Ｓ１０７０にて干渉電波が検知されなかった場合には、処理を終了する。
【００６２】
またＳ１０３０にて、親機２０であれば図５に示すスロット１，２であるデータ通信中の受信スロットであるとの判定である場合には、Ｓ１０８０にて切替判定部１３ｉによる受信レベル不良判断手順を実行する。ここで、受信レベル不良判断手順について、図１２に基づいて説明する。図１２は、受信レベル不良判断手順を示すフローチャートである。
【００６３】
受信レベル不良判断手順は、まず、Ｓ４１０にて受信レベルによる判定を行うことを示す設定が有効かを判定する。Ｓ４１０にて設定が無効であれば受信レベル不良判断手順による処理は行わないことを示しているので、この処理を終了する。
【００６４】
Ｓ４１０にて設定が有効であると判定されると、Ｓ４２０にてデータ通信するための受信スロットの電界強度が所定の値よりも低いか否かを判定する。この受信電界強度は、受信電界強度データ処理部１３ｇを介して切替判定部１３ｉへ入力される。
【００６５】
Ｓ４２０にて所定の値よりも低いと判定された場合には、親機２０と子機３０との間の距離が離れてしまっていることが想定されるので、Ｓ４３０にて不良検知フラグを有効に設定して処理を終了する。
【００６６】
このようにして受信レベル不良判断手順が終了すると、図６に示すＳ１０９０にてエラーカウント手順が実行される。
【００６７】
次にエラーカウント手順について図１３及び図１４に基づいて説明する。図１３は、エラーカウント手順を示すフローチャート、図１４は、スロットフォーマットを示す図である。
【００６８】
図１３に示すエラーカウント手順は、まずＳ５１０にてエラー計数処理部１３ｈが受信したスロットが受信エラーを発生しているか否かを判定する。データパケットを受信すると、受信制御データパケット処理部１３ｅは通信制御用のデータを処理し、また通信制御用のデータに対して付加されたＣＲＣにより受信エラーを検出する。また受信音声データパケット処理部１３ｆは、音声データを処理し、また音声データに対して付加されたＣＲＣにより受信エラーを検出する。つまり図１４に示すように、スロットフォーマットにおけるシンクワードの同期エラーがあったか否か、または通信データにてＣＲＣエラー（パケットエラー）を検出したことの情報が受信制御データパケット処理部１３ｅまたは受信音声データパケット処理部１３ｆから通知されたか否かに基づいて、受信エラーが発生しているか否かを判定する。
【００６９】
Ｓ５１０にて受信エラーが発生していない場合、処理を終了する、Ｓ５１０にて受信エラーが発生している場合には、Ｓ５２０にて、図１０に示すエラーチャネル・スロットマップの該当するエラーカウンタをカウントアップする。例えば、受信エラーが発生したチャネル・スロットが、帯域１のチャネル番号３であってスロット１であれば、ここの値を＋１することで現状２であれば３とする。
【００７０】
このようにエラーチャネル・スロットマップの各エラーカウンタは、受信エラー等の発生でカウントアップされることで、良好周波数帯域情報記憶手順（図１１参照）では周波数帯域ごとに割り当てられる優先順位が下がる。一度優先順位が下げられると、しばらくは下げられたままとなり、次のスロットで受信エラーが無くてもエラーカウンタはすぐにカウントダウンされない。優先順位は過去の受信エラーの発生状態に影響される。
【００７１】
このエラーカウンタは一定期間が経過するごとに全部のチャネル・スロットでカウントダウンされる。すなわち図６に示すＳ１０１０にて一定期間が経過した場合は、Ｓ１０２０により全部のチャネル・スロットのエラーカウンタがカウントダウンされる。このようにある程度の期間で自動的にカウントダウンしていくことで、干渉電波による影響が無くなる等の周囲の状況の変化に応じて優先順位を復帰させる。
【００７２】
図１３に示すＳ５３０では、切替判定部１３ｉがデータ通信するための受信スロットの電界強度が所定の値よりも高いか否かを判定する。受信エラーが検出された時の電界強度が比較的高いなら、その受信エラーが干渉電波による可能性が高い。もし、親機２０と子機３０との距離が近くて受信電界強度が高いのに、受信エラーが検出されたということは受信エラーは干渉電波によるものと判断できる。従って、Ｓ５３０にて受信電界強度が所定の値よりも高ければ干渉検知したということで、Ｓ５４０にて切替判定部１３ｉが干渉検知フラグを有効にして処理を終了する。Ｓ５３０にて受信電界強度が所定の値以下であれば、この処理を終了する。
【００７３】
このようにしてエラーカウント処理手順が終了すると、図６に示すＳ１１００にてエラー不良判断手順が実行される。
【００７４】
次にエラー不良判断手順について、図１５から図１９に基づいて説明する。図１５は、エラー不良判断手順を示すフローチャート、図１６から図１９はチャネル・スロット切替手順Ａ〜Ｄを示すフローチャートである。エラー不良判断手順は、エラーレートに基づいて不良のチャネル・スロットを判断している。
【００７５】
図１５において、まず切替判定部１３ｉが、Ｓ６１０にてエラーレートを取得する。このエラーレートは、一定期間内のエラーチャネル・スロットマップの各エラーカウンタの値に基づいて受信電界強度データ処理部１３ｇが算出したものである。つまり、エラーレートはスロットごとに管理されている。
【００７６】
次に、切替判定部１３ｉが、Ｓ６２０にて連続フレームエラーカウンタ１３ｐの値を取得する。切替判定部１３ｉに設けられた連続フレームエラーカウンタ１３ｐは、スロットごとに管理されており、複数のフレームに連続してエラーが発生した場合にカウントアップを続けるカウンタである。例えばあるスロットにＣＲＣエラーや同期エラーなどの受信エラーが発生した場合にエラー計数処理部１３ｈからの情報によりカウントアップする。
【００７７】
例えば図５に示すようにスロット１を使用して送信される子機Ａからの送信パケットが受信エラーであった場合にカウントアップ（＋１）され、次のフレームの同じスロットでも受信エラーが発生した場合はさらにカウントアップされる。一度受信エラーであってカウントアップ（＋１）され、次のフレームでは受信エラーが無かった場合は、連続フレームエラーカウンタ１３ｐはクリアされる。
【００７８】
次に、切替判定部１３ｉが、Ｓ６３０にてエラーレートが高い、または連続フレームエラーカウンタ１３ｐの値が所定の値を超える連続フレームエラーか否かを判定する。エラーレートが高いとは、Ｓ６１０にて算出されたエラーレートが所定値以上である場合で、このチャネルのスロットに受信エラーが頻繁に発生していることを示している。また、Ｓ６２０にて取得された連続フレームエラーカウンタ１３ｐの値は受信エラーが発生する度にカウントアップ（＋１）されるので、例えば、５フレームほど連続して発生した場合には連続フレームエラーカウンタ１３ｐの値は５となる。従って、５フレームほど連続してあるスロットに受信エラーが発生したら連続フレームエラーとする場合には、所定の値を４とする。
【００７９】
Ｓ６３０にてエラーレートが所定値未満である、または連続フレームエラーカウンタ１３ｐの値が所定値以下であると判定された場合には、この処理を終了する。
【００８０】
Ｓ６３０にてエラーレートが高い、または連続フレームエラーカウンタ１３ｐの値が所定の値を超えたと判定された場合には、不良チャネル・スロットと判断されるためＳ６４０にて不良検知フラグを有効として処理を終了する。
【００８１】
このようにしてエラー不良判断手順が終了すると、チャネル・スロット選択部１３ｊは、図６に示すＳ１１１０にて不良検知フラグ、または干渉検知フラグが有効か否かを判定する。両方とも無効であれば処理を終了する。
【００８２】
以下、不良検知フラグまたは干渉検知フラグが有効である場合について説明する。図６に示すＳ１１１０にて不良検知フラグ、または干渉検知フラグの何れかが有効であれば、チャネル・スロットの切り替えを行う。本実施の形態では、切り替え先のチャネル及びスロットの選定に５種類の方法を備えており、設定（チャネル・スロット切替手順フラグ）により何れかの方法を選択する事ができる。
【００８３】
まず、Ｓ１１２０では、チャネル・スロット切替手順フラグが１であるか否かを判定する。Ｓ１１３０ではチャネル・スロット切替手順フラグが２であるか否かを、またＳ１１４０ではチャネル・スロット切替手順フラグが３であるか否かを、またＳ１１５０ではチャネル・スロット切替手順フラグが４であるか否かを判定する。チャネル・スロット切替手順フラグが１〜４の何れともと異なる場合にはＳ１１６０へ移行する。
【００８４】
まずＳ１１２０において、チャネル・スロット切替手順フラグが１である場合には、Ｓ１１７０にてチャネル・スロット切替手順Ａが実行される。チャネル・スロット切替手順Ａでは、チャネル・スロット選択部１３ｊが図１６に示すＳ７１０にて良好チャネル・スロットマップ（図９参照）に良好チャネル・スロットが存在するか否かを判定する。良好チャネル・スロットマップに良好チャネル・スロットが無い場合には、切り替え先のチャネルが選定できないことを示しているため、このまま処理を終了する。
【００８５】
Ｓ７１０にて良好チャネル・スロットが存在している場合には、Ｓ７２０にてチャネル・スロット受信電界強度マップ（図８参照）中で受信電界強度が最も低いチャネル・スロットを取得する。図８に示す例では、−９０ｄＢｍである帯域２のチャネル番号８のスロット１が該当する。このチャネル・スロットを最良チャネル・スロットとする。
【００８６】
最良チャネル・スロットの通知を受けたチャネル・スロット切替部１３ｋは、Ｓ７３０にて最良チャネル・スロットを切り替え先のチャネル・スロットとして、不良チャネル・スロットとして検出されたスロット（Ｓ４３０，Ｓ５４０，Ｓ６４０で設定されたスロット）と切り替えるよう無線送受信部１２へ指示する。このようにチャネル・スロット切替手順Ａでは、受信電界強度が最も低いチャネル・スロットへ切り替えられる。
【００８７】
このように、ノイズとなる干渉電波が、同じチャネルだけのみで干渉している場合や、同じ周波数帯域の全部のチャネルで干渉している場合などでも、チャネル・スロット受信電界強度マップに基づいて同一周波数帯域または他の周波数帯域の他のチャネル・スロットへ切り替えることで良好な通信を維持することができる。また、本実施の形態では、チャネル単位ではなくスロット単位で切り替えることで、周波数帯域に割り当てられたチャネル数が少なくても、切り替え先の候補を多くすることができるので、好適な切り替え先の選定を行うことができる。
【００８８】
次に、チャネル・スロット切替手順フラグが２である場合を説明する。図６に示すようにＳ１１３０においてチャネル・スロット切替手順フラグが２である場合では、Ｓ１１８０にてチャネル・スロット切替手順Ｂが実行される。チャネル・スロット切替手順Ｂでは、チャネル・スロット選択部１３ｊが図１７に示すＳ７４０にて良好チャネル・スロットマップ（図９参照）において、現在の使用している周波数帯域（以下、これを使用帯域と称す。）以外の周波数帯域において、良好チャネル・スロットが存在するか否かを判定する。
【００８９】
現在の使用帯域以外で良好チャネル・スロットが無い場合には、Ｓ７５０にて、良好チャネル・スロットマップに現在の使用帯域と同じ周波数帯域で良好チャネル・スロットが存在するか否かを判定する。
【００９０】
Ｓ７５０にて現在の使用帯域と同じ周波数帯域で良好チャネル・スロットが無い場合には、切り替え先のチャネルが選定できないことを示しているため、このまま処理を終了する。Ｓ７５０にて良好チャネル・スロットが存在している場合には、Ｓ７６０にて現在の使用帯域の中で受信電界強度が最も低いチャネル・スロットを、チャネル・スロット受信電界強度マップ（図８参照）から最良チャネル・スロットとして取得する。最良チャネル・スロットの通知を受けたチャネル・スロット切替部１３ｋは、Ｓ７７０にて最良チャネル・スロットを切り替え先のチャネル・スロットとして、不良チャネル・スロットとして検出されたスロットと切り替えるよう無線送受信部１２へ指示する。
【００９１】
このように、他の周波数帯域へ切り替えることができない場合でも、同じ周波数帯域の異なるチャネルやスロットへ切り替えることで、干渉電波を回避する確率を高くすることができる。
【００９２】
Ｓ７４０にて現在の使用帯域以外で良好チャネル・スロットが存在すると判定された場合には、Ｓ７８０にて現在の使用帯域以外の良好チャネル・スロットの中で、受信電界強度が最も低いチャネル・スロットをチャネル・スロット受信電界強度マップから取得する。異なる使用帯域の中での最良チャネル・スロットが取得できると、Ｓ７７０にて最良チャネル・スロットを切り替え先のチャネル・スロットとして、不良チャネル・スロットとして検出されたスロットと切り替える。
【００９３】
このようにチャネル・スロット切替手順Ｂでは、まずＳ７４０にて現在の使用帯域以外で良好チャネル・スロットが存在するか否かを判定することにより、使用帯域とは異なる周波数帯域を優先的に切り替え先のチャネル・スロットとすることができるので、使用帯域全体を妨害するような干渉電波でも回避することができる。従って、良好な通信を確実に維持することができる。
【００９４】
次に、チャネル・スロット切替手順フラグが３である場合を説明する。図６に示すようにＳ１１４０においてチャネル・スロット切替手順フラグが３である場合では、Ｓ１１９０にてチャネル・スロット切替手順Ｃが実行される。チャネル・スロット切替手順Ｃでは、チャネル・スロット選択部１３ｊが図１８に示すＳ７８０にて良好チャネル・スロットマップ（図９参照）に良好チャネル・スロットが存在するか否かを判定する。良好チャネル・スロットマップに良好チャネル・スロットが無い場合には、切り替え先のチャネルが選定できないことを示しているため、このまま処理を終了する。
【００９５】
Ｓ７８０にて良好チャネル・スロットが存在している場合には、Ｓ７９０にて、図９に示すように帯域ごとに算出されている良好チャネル・スロット優先情報を取得する。次のＳ８００にて、取得した良好チャネル・スロット優先情報から優先度が高いと設定された周波数帯域の良好チャネル・スロットの中で、チャネル・スロット受信電界強度マップ（図８参照）から受信電界強度が最も低いチャネルを取得して最良チャネル・スロットとする。
【００９６】
この場合の優先度は、良好チャネル・スロットマップから良好を示すマーキングに基づいて算出された良好チャネル・スロット優先情報か、エラーチャネル・スロットマップからエラーカウンタに基づいて算出された良好チャネル・スロット優先情報の何れかよって設定された順番とすることができる。
【００９７】
最良チャネル・スロットの通知を受けたチャネル・スロット切替部１３ｋは、Ｓ８１０にて最良チャネル・スロットを切り替え先のチャネル・スロットとして、不良チャネル・スロットとして検出されたスロットと切り替えるよう無線送受信部１２へ指示する。
【００９８】
このように、切り替え先が良好なチャネル・スロットであっても同じ周波数帯域内の他のチャネルやスロットの状態が全体的に良好でなければ干渉電波によってやがて通信に支障が出る可能性があるので、良好度合いの高いチャネルの数が多い周波数帯域から順に切り替え先のチャネルを選択することで、安定した通信を継続することができる周波数帯域を選択することができる。
【００９９】
特に、良好を示すマーキングに基づいて算出された良好チャネル・スロット優先情報による優先度であれば、測定された受信電界強度に基づいて良好度合いを決めることができるので、現時点での干渉電波の影響が少ない周波数帯域を選択することができる。
【０１００】
また、エラーカウンタに基づいて算出された良好チャネル・スロット優先情報による優先度であれば、エラーカウンタの集計数が少ないことに基づいて良好度合いを決めること
ができるので、統計的な観点から干渉電波の影響が少ない周波数帯域を選択することができる。
【０１０１】
次に、チャネル・スロット切替手順フラグが４である場合を説明する。図６に示すようにＳ１１５０において、チャネル・スロット切替手順フラグが４である場合では、Ｓ１２００にてチャネル・スロット切替手順Ｄが実行される。
【０１０２】
チャネル・スロット切替手順Ｄでは、チャネル・スロット選択部１３ｊが図１８に示すようにＳ８２０にて良好チャネル・スロットマップ（図９参照）に良好チャネル・スロットが存在するか否かを判定する。良好チャネル・スロットマップに良好チャネル・スロットが無い場合には、切り替え先のチャネルが選定できないことを示しているため、このまま処理を終了する。
【０１０３】
Ｓ８２０にて良好チャネル・スロットが存在している場合には、Ｓ８３０にて、設定が通話距離優先モードか否かを判定する。Ｓ８３０にて通話距離優先モードである場合には、Ｓ８４０にてチャネル・スロット受信電界強度マップ（図８参照）において、通話距離優先順位の高い周波数帯域の中で、受信電界強度が最も低いチャネル・スロットを最良チャネル・スロットとして取得する。
【０１０４】
本実施の形態では、周波数帯域（帯域１〜３）として、１．９ＧＨｚ帯と２．４ＧＨｚ帯と５．８ＧＨｚ帯の３つ周波数帯域を使用している。この３つの周波数帯域では波長の長い方が、同じ送信出力であれば比較的に到達距離が長いので、優先順位としては、各周波数帯で同じ送信出力であると想定すると、帯域１の優先度が高く、次に帯域２、そして帯域３の順番としている。従って、帯域２または帯域３において不良チャネル・スロットが検出された場合には、帯域１の良好チャネル・スロットから選定される。
【０１０５】
最良チャネル・スロットの通知を受けたチャネル・スロット切替部１３ｋは、Ｓ８５０にて最良チャネル・スロットを切り替え先のチャネル・スロットとして、不良チャネル・スロットとして検出されたスロットと切り替えるよう無線送受信部１２へ指示する。
【０１０６】
このように、帯域１〜３の周波数帯域の波長の長い順に優先順位が設定されていることで、電波の到達距離が長い周波数帯域を優先的に切り替え先のチャネル・スロットとして割り当てることができる。従って、親機２０と子機３０との間の距離が離れることで受信電界強度が低下したり受信エラーが多発するような事態となっても、通信環境をある程度改善することが可能である。
【０１０７】
Ｓ８３０にて設定が通話距離優先モードでない場合に、Ｓ８６０にて設定が干渉回避優先モードか否かを判定する。
【０１０８】
Ｓ８６０にて干渉回避モードである場合には、Ｓ８７０にてチャネル・スロット受信電界強度マップ（図８参照）において、干渉回避優先順位の高い周波数帯域の中で、受信電界強度が最も低いチャネル・スロットを最良チャネル・スロットとして取得する。
【０１０９】
周波数帯域としては、２．４ＧＨｚ帯には電子レンジや無線ＬＡＮであるＷｉ−Ｆｉなどの干渉電波源となるものが多く存在する。また、１．９ＧＨｚ帯は通信規格によっては、５チャネルしか割り当てられていないため、干渉電波による影響が多大である。従って、本実施の形態では、優先順位として、帯域３の優先度が高く、次に帯域１、そして帯域２の順番としている。従って、帯域２または帯域１において不良チャネル・スロットが検出された場合には、帯域３の良好チャネル・スロットから選定される。
【０１１０】
最良チャネル・スロットが取得できると、Ｓ８５０にて最良チャネル・スロットを切り替え先のチャネル・スロットとして、不良チャネル・スロットとして検出されたスロットと切り替える。
【０１１１】
このように、優先順位が干渉電波を発生する電子レンジやＷｉ−Ｆｉなどの電気機器の種類に応じて設定されているので、干渉電波を避けることで良好な周波数帯域を選択することができる。
【０１１２】
Ｓ８６０にて干渉回避モードでないと判定された場合には、Ｓ８８０にてチャネル・スロット受信電界強度マップ（図８参照）から受信電界強度が最も低いチャネルを取得して最良チャネル・スロットとする。
【０１１３】
最良チャネル・スロットが取得できると、Ｓ８５０にて最良チャネル・スロットを切り替え先のチャネル・スロットとして、不良チャネル・スロットとして検出されたスロットと切り替えることで、同一周波数帯域の他のチャネル・スロット、または異なる周波数帯域のチャネル・スロットへ切り替えることで良好な通信を維持することができる。
【０１１４】
最後に、チャネル・スロット切替手順フラグが１〜４の何れでも無く、図６に示すＳ１１５０からＳ１１６０へ移行した場合を説明する。
【０１１５】
Ｓ１１６０では、特に、切り替え先のチャネル・スロットが良好チャネル・スロットであるか否かに関わらず、ランダムに切り替え先のチャネル・スロットを選択し切り替える。この場合には、干渉電波による影響が回避できない可能性もあるが、バックグランドスキャンによる電界強度の測定が不要であるので制御としては簡便である。
【０１１６】
なお、切り替え先のチャネル・スロットへの移行については、現在使用中のチャネル・スロットが不良チャネル・スロットとして検出されたことで、切り替え先のチャネル・スロットを使用して同時に２つのスロットで通信を行い。不良チャネル・スロットでの通信を取りやめることで、切り替え先となる他のチャネル・スロットへ移行することが可能である。
【０１１７】
以上、本発明の実施の形態について説明してきたが、本発明は前記実施の形態に限定されるものではなく、例えば、切り替え先をスロット単位とせずにチャネル単位とすることも可能である。
【０１１８】
また、本実施の形態では、無線通信装置としてコードレス電話機を例に説明したが、例えば携帯電話機と基地局との間の通信などのように、無線通信装置同士の間で時分割通信を行うものであれば、本発明を適用することで同じ効果を得ることができる。
【０１１９】
また、送信電力が等しい場合は波長の長い周波数帯域１（１．９ＧＨｚ帯）の通話可能距離が最も長く、波長が短くなるほど通話可能距離が短くなるので、本実施の形態では周波数帯域：１〜３の中で波長の長い順で優先順位を設定している。しかし周波数帯域で送信電力が異なる場合は、優先順位と周波数帯域の関係は異なって良い。各周波数帯における設定できる送信電力は国ごとの無線規格により規定されており、国によっては、ある周波数帯では他の周波数帯に比べて送信電力を低く設定する必要がある。その場合は波長が長くても通話距離が確保できないので。波長のみではなく送信電力も加味して周波数帯の優先順位をつける。
【産業上の利用可能性】
【０１２０】
本発明は、干渉に強く、通信品質が良いので、ＴＤＭＡ方式で通信する無線通信装置に好適ある。
【図面の簡単な説明】
【０１２１】
【図１】本発明の実施の形態に係るコードレス電話機の構成を示す図
【図２】図１に示すコードレス電話機が使用する周波数帯域とチャネルとを示す図
【図３】図１に示すコードレス電話機の親機の構成を示すブロック図
【図４】図１に示すコードレス電話機の子機の構成を示すブロック図
【図５】フレームの構成を示す図
【図６】各スロットの処理手順を示すフローチャート
【図７】良好チャネル情報記憶手順を示すフローチャート
【図８】チャネル・スロット受信電界強度マップを示す図
【図９】良好チャネル・スロットマップを示す図
【図１０】エラーチャネル・スロットマップを示す図
【図１１】良好周波数帯域情報記憶手順を示すフローチャート
【図１２】受信レベル不良判断手順を示すフローチャート
【図１３】エラーカウント手順を示すフローチャート
【図１４】スロットフォーマットを示す図
【図１５】不良チャネル・スロット判断手順を示すフローチャート
【図１６】チャネル・スロット切替手順Ａを示すフローチャート
【図１７】チャネル・スロット切替手順Ｂを示すフローチャート
【図１８】チャネル・スロット切替手順Ｃを示すフローチャート
【図１９】チャネル・スロット切替手順Ｄを示すフローチャート
【符号の説明】
【０１２２】
１０    コードレス電話機
１１ａ    帯域１用アンテナ
１１ｂ    帯域２用アンテナ
１１ｃ    帯域３用アンテナ
１２    無線送受信部
１３    通信制御部
１３ａ    送信制御データパケット処理部
１３ｂ    送信音声データパケット処理部
１３ｃ    送信パケット作成部
１３ｄ    受信パケット解析部
１３ｅ    受信制御データパケット処理部
１３ｆ    受信音声データパケット処理部
１３ｇ    受信電界強度データ処理部
１３ｈ    エラー計数処理部
１３ｉ    切替判定部
１３ｊ    チャネル・スロット選択部
１３ｋ    チャネル・スロット切替部
１３ｎ，１３ｍ    メモリ
１３ｐ    連続フレームエラーカウンタ
２０    親機
２１    音声処理部
２１ａ    スピーチデコーダ
２１ｂ    回線出力部
２１ｃ    回線入力部
２１ｄ    スピーチエンコーダ
３０，Ａ〜Ｃ    子機
３１    音声処理部
３１ａ    スピーチデコーダ
３１ｂ    スピーチエンコーダ
ＳＰ    スピーカ
ＭＩＣ    マイク
【図１】
2009284376.tif 000003
【図２】
2009284376.tif 000004
【図３】
2009284376.tif 000005
【図４】
2009284376.tif 000006
【図５】
2009284376.tif 000007
【図６】
2009284376.tif 000008
【図７】
2009284376.tif 000009
【図８】
2009284376.tif 000010
【図９】
2009284376.tif 000011
【図１０】
2009284376.tif 000012
【図１１】
2009284376.tif 000013
【図１２】
2009284376.tif 000014
【図１３】
2009284376.tif 000015
【図１４】
2009284376.tif 000016
【図１５】
2009284376.tif 000017
【図１６】
2009284376.tif 000018
【図１７】
2009284376.tif 000019
【図１８】
2009284376.tif 000020
【図１９】
2009284376.tif 000021